(57)【要約】【課題】  容器を片手に把持し、両側から収納容器を押圧することによって蓋体の頂壁が上昇して取出口を開くようにし、押圧量を調整することによって、粒状物の大きさに応じて、１つずつ取出せるようにした粒状物収納容器を提供すること。【解決手段】  柔軟性のある合成樹脂によって成形された容器本体と、容器本体に取着された蓋体とからなる収納容器であって、容器本体は、上端に係止部を備えた係止筒を設けた蓋係止部材を立設した底壁を具備しており、蓋体は、前記係止筒の係止部に係合する取出口を穿孔した頂壁を具備していることを特徴とする。【選択図】  図１
2006016012.tif 000002
【特許請求の範囲】
【請求項１】
柔軟性のある合成樹脂によって成形された容器本体と、容器本体に取着された蓋体とからなる収納容器であって、
容器本体は、上端に係止部を備えた係止筒を設けた蓋係止部材を立設した底壁を具備しており、
蓋体は、前記係止筒の係止部に係合する取出口を穿孔した頂壁を具備していることを特徴とする粒状物収納容器。
【発明の詳細な説明】
【技術分野】
【０００１】
本発明は、粒状物収納容器，とくに収納した粒状物を１粒ずつ取出せるようにした粒状物収納容器に関するものである。
【背景技術】
【０００２】
粒状物を収納するカード状ケース（Ｃ）として、二つ折りとしたケース本体の表板（４）に粒状物を取出す透孔（７）を設け、裏板（５）側に係止突起（１０）を立設した扁平カード状ケースであって、ケース周縁に設けられた紡錘形状部（１５）を、扁平状の方向に押圧して紡錘形状のヒンジ線（１３）が表板、裏板を外方向に膨出させ、係止突起（１０）を透孔（７）から外して取出口を形成するようにしたケースは、従来より知られている（特許文献１参照）。
【特許文献１】特公平７−２５１０号公報
【発明の開示】
【発明が解決しようとする課題】
【０００３】
しかしながら、上記従来のカード状ケースは、丸薬など小粒の粒状物の携帯用容器として便利であるが、大粒の粒状物の収納容器として利用できなかった。
【０００４】
また、粒状物の取出しにあたって、紡錘形状部（１５）を扁平状の方向に押圧して透孔（７）を開口するようにしているが、紡錘形状部をワンタッチで押圧するようにしているので、紡錘形状部の両側のヒンジ線が常時一定位置まで開き、透孔と係止突起の上端との間が常に一定間隔開くことになっていた。
そのため、使用始めで、丸薬がいっぱい入っていると、多量の丸薬が出てしまうという問題があった。
【０００５】
本発明は、上記問題を解決することを課題として、容器を片手に把持し、両側から収納容器を押圧することによって蓋体の頂壁が上昇して取出口を開くようにし、押圧量を調整することによって、粒状物の大きさに応じて、１つずつ取出せるようにした粒状物収納容器を提供することを目的とする。
【課題を解決するための手段】
【０００６】
本発明は、上記の課題を解決するため、粒状物収納容器として、柔軟性のある合成樹脂によって成形された容器本体と、容器本体に取着された蓋体とからなる収納容器であって、容器本体は、上端に係止部を備えた係止筒を設けた蓋係止部材を立設した底壁を具備しており、蓋体は、前記係止筒の係止部に係合する取出口を穿孔した頂壁を具備していることを特徴とする構成を採用する。
【発明の効果】
【０００７】
収納容器の両側を押圧することによって、容器を変形させるようにしたから、手指による操作によって押圧量の調節が容易となった。
そのため、取出口から１つまたは複数の粒状物を、所望量取出せるようになった。
【発明を実施するための最良の形態】
【０００８】
次に、本発明の粒状物の収納容器について、図面を参照して説明する。
図１、２において、Ａは容器本体、Ｂは容器本体Ａに取着された蓋体であり、それぞれＰＥ、その他柔軟性を有する合成樹脂によって成形されている。
【０００９】
容器本体Ａは、底壁１と側周壁２、および底壁１の中央部に立設された蓋係止部材３とからなっている。
側周壁２上端部は嵌合部４となっており、その上端には、外方に広がるフランジ５が設けられている。
【００１０】
蓋係止部材３は、側周壁６と頂壁７とを具えており、頂壁７には、中央に突出頭部８と、その外側に係止筒９が立設され、係止筒９の所定の位置には、外方に突出した係止環１０が設けられている。
図３に示すように、蓋係止部材３内部には、十字形のリブ１１が架設されており、容器本体Ａの底壁１には、係止筒９の開口を塞ぐようにシール１２が貼着されている。
これにより、使用時における蓋係止部材３の保形性が高まり、また、外観も良好となる。
【００１１】
蓋体Ｂは、下端の嵌合部１５と、嵌合部１５の外周に設けられたフランジ１６と、嵌合部１５の上端から隆起するドーム状の頂壁１７とからなっている。
頂壁１７の中央部は、下方に湾曲した凹部１８となっており、該凹部１８の中心部は、平坦な環状面１９となっている。
環状面１９の中心には、係止筒９の直径とほぼ等しい直径を有し、係止環１０と係合する取出口２０が穿孔されている。
係止筒９の径と、取出口２０の径は、粒状物の大きさに応じて適宜に設定される。
【００１２】
次に、本発明粒状物収納容器の使用態様と作用効果について説明する。
容器本体Ａには、内容物として、玉状の飴、その他の菓子類、錠剤などの粒状物ａが収納され、収納後に、容器本体Ａの係止筒９の係止環１０に、蓋体Ｂの取出口２０周縁を係合させて閉鎖するとともに、容器本体Ａの嵌合部４とフランジ５に、蓋体Ｂの嵌合部１５とフランジ１６を接合させ、フランジ５とフランジ１６を溶着させる。
【００１３】
収納容器の使用時において、内容物の取出しにあたっては、図４に示すように、収納容器を倒立状態として片手で持って、親指と他の指の間で容器本体Ａと蓋体Ｂの接合部を押圧すると、容器本体Ａと蓋体Ｂは柔軟な樹脂で成形されているので、容易に変形し、蓋体Ｂの凹部１８が上昇し、取出口２０の周縁が係止環１０から離れ、取出口２０が開口される。
【００１４】
その際、手指による押圧量を容易に調節できるので、粒状物ａの大きさに応じて、係止筒９先端と、取出口２０との間の距離を調節することが容易となり、粒状物ａを１粒ずつ取出すことができる。
【００１５】
また、取出口２０の径に対して、粒状物ａの径が小さいときにも、押圧量を調節することによって、係止筒９と凹部１８との間隔を容易に調節できるので、大量の粒状物ａが一度に出ることを防ぐことができる。
【００１６】
上記実施形態では、収納容器の横断面を円形としているが、断面が楕円形、または角形であってもよく、実施例に限定されない。
また、係止筒９と取出口２０の形状についても、両者が係合離脱して取出口２０が開閉できればよく、円形に限定されない。
【００１７】
前記実施形態では、係止筒９に係止環１０を設けたが、係止環１０に変え、等間隔をおいて、複数の突起を設けてもよく、また、取出口２０内周に複数の凸部を設け、係止筒９に係止凹部を設けてもよい。
【産業上の利用可能性】
【００１８】
押圧変形可能な柔軟な合成樹脂によって容器を成形し、両側から、押圧することによって取出口を開口できるようにしたから、押圧力を容易に調整することができ、一度に多くの粒状物が出ないようにできた。
そのため、飴、その他の菓子類、薬品などの粒状物収納容器として広く利用できるようになった。
【図面の簡単な説明】
【００１９】
【図１】粒状物収納容器の一部断面立面図である。
【図２】収納容器の斜視図である。
【図３】収納容器の底面図である。
【図４】粒状物取出し時を説明する断面立面図である。
【符号の説明】
【００２０】
Ａ         容器本体
Ｂ         蓋体
ａ         粒状物
１         底壁
２、６     側周壁
３         蓋係止部材
４、１５   嵌合部
５、１６   フランジ
７         頂壁
８         突出頭部
９         係止筒
１０       係止環
１１       リブ
１２       シール
１７       頂壁
１８       凹部
１９       環状面
２０       取出口
【図１】
2006016012.tif 000003
【図２】
2006016012.tif 000004
【図３】
2006016012.tif 000005
【図４】
2006016012.tif 000006